(57)【要約】【課題】地盤への杭体の圧入反力を効率的に得ることができ、杭体の施工装置の小型化や施工時の振動及び騒音の低減を図ることが可能となる、杭体の新規な施工方法を提供すること。【解決手段】外周面に反力羽根３２を設けたケーシングパイプ２６を正方向回転させて地盤２２に貫入させた後、該ケーシングパイプ２６の外周面に対して地盤２２から及ぼされる反力を利用して、ケーシングパイプ２６に差し入れてケーシングパイプから下方に突出させて圧入する杭体５０に圧入力を及ぼす。【選択図】図６
2012140787.tif 000002
【特許請求の範囲】
【請求項１】
地盤に対する杭体の施工方法であって、
外周面に反力羽根を設けたケーシングパイプを用い、該ケーシングパイプを中心軸回りに正方向回転させて前記地盤に貫入させるケーシングパイプ貫入工程と、
該ケーシングパイプに差し入れた前記杭体に対して、該ケーシングパイプの外周面に対して該地盤から及ぼされる反力を利用して圧入力を及ぼし、該ケーシングパイプの下端開口部から該杭体を突出させて該地盤に圧入させる杭体圧入工程と、
該地盤に圧入させた該杭体を残して、該ケーシングパイプを逆方向回転させつつ該地盤から抜き取るケーシングパイプ抜去工程と
を、有することを特徴とする杭体の施工方法。
【請求項２】
前記ケーシングパイプの前記反力羽根が一定のリード角で形成されており、前記ケーシングパイプ貫入工程において、該ケーシングパイプの一回転毎に該反力羽根のリードに相当する深さずつ前記地盤に対して該ケーシングパイプを貫入させる請求項１に記載の杭体の施工方法。
【請求項３】
前記ケーシングパイプ貫入工程において、該ケーシングパイプの下端開口部を閉鎖させて内部への土の侵入を制限させつつ中心軸回りに正方向回転させて、該ケーシングパイプを前記地盤に貫入させる請求項１又は２に記載の杭体の施工方法。
【請求項４】
前記ケーシングパイプ貫入工程において、該ケーシングパイプにオーガースクリュを内挿位置せしめ、該オーガースクリュと該ケーシングパイプを同一中心軸上で同一方向に正方向回転させることにより、該オーガースクリュの下端部分で該ケーシングパイプの下端開口部を閉鎖させて内部への土の侵入を制限させつつ地盤に貫入させる請求項３に記載の杭体の施工方法。
【請求項５】
前記ケーシングパイプ貫入工程によって該ケーシングパイプを前記地盤に対して貫入させた後、該ケーシングパイプを固定すると共に、前記オーガースクリュを正方向回転させることにより、該ケーシングパイプの下端開口部よりも下方まで杭孔を穿孔する穿孔工程を行う請求項４に記載の杭体の施工方法。
【請求項６】
前記ケーシングパイプの下端開口部に対して開閉可能な蓋部材を装着せしめ、前記ケーシングパイプ貫入工程において、該蓋部材で該ケーシングパイプの下端開口部を閉鎖させた状態で該ケーシングパイプを前記地盤に貫入させる一方、前記杭体圧入工程において、該蓋部材を開放させた該ケーシングパイプの下端開口部から前記杭体を突出させて該地盤に該杭体を圧入させる請求項３に記載の杭体の施工方法。
【請求項７】
前記ケーシングパイプ抜去工程において、前記ケーシングパイプにおける前記反力羽根の回転作用により前記杭体の周囲において土を下方へ押し込んで圧密させる請求項１〜６の何れか１項に記載の杭体の施工方法。
【請求項８】
前記ケーシングパイプ抜去工程において、前記ケーシングパイプに対して前記地盤への押込方向の荷重を及ぼしつつ該ケーシングパイプを逆方向回転させることにより前記杭体の周囲において土を圧密させる請求項７に記載の杭体の施工方法。
【請求項９】
請求項１〜８の何れか１項に記載の杭体の施工方法に用いられるケーシングパイプであって、
中空構造の管体の外周面上に所定のリード角を有する反力羽根が形成されていることを特徴とする杭体施工用のケーシングパイプ。
【請求項１０】
前記管体に内挿されるオーガースクリュと、該オーガースクリュを該管体と同一中心軸上で一体的に回転させる一体的回転手段とを、備えている請求項９に記載のケーシングパイプ。
【請求項１１】
前記管体の下端開口部を開閉可能とする蓋部材を備えている請求項９に記載のケーシングパイプ。
【請求項１２】
前記管体の下端部分に掘削用爪が設けられている請求項９〜１１の何れか１項に記載のケーシングパイプ。
【請求項１３】
前記管体の上端部分において、施工機に対して係止されて引抜反力を取り出すチャック装置が設けられている請求項９〜１２の何れか１項に記載のケーシングパイプ。
【請求項１４】
請求項１〜８の何れか１項に記載の杭体の施工方法により施工された杭体を有することを特徴とする基礎構造体。
【発明の詳細な説明】
【技術分野】
【０００１】
本発明は、建築や土木の構造物を地盤に支持等させるために地中に打設される杭体の施工関連技術に関するものである。
【背景技術】
【０００２】
従来から、建築や土木の構造物を地盤に支持等させるために、支持杭や摩擦杭、土留め用親杭などの各種杭体が施工されている。
【０００３】
ところで、杭体を地盤に打設するには、原始的に「衝撃方式」と「圧入方式」がある。
【０００４】
しかしながら、これらの杭打方式は、現状において、何れも、現場での施工や環境に関する問題を有していたのである。即ち、前者の衝撃方式としては、ドロップハンマやジーゼルハンマ、スチームハンマが用いられていたが、騒音や振動の公害問題が避けられないという不具合があった。一方、後者の圧入方式では、大きな圧入荷重を得るために載荷重として大型重機が必要になり、狭小な敷地での施工が難しいという問題があった。
【０００５】
なお、近年では、特公平７−５１７８６号公報（特許文献１）に記載されているように、油圧シリンダによって杭体を地中に圧入しつつ、振動や油圧衝撃を杭体に加えて圧入力を補助する方式も提案されている。ところが、このような油圧機構を利用した杭打工法でも、振動や衝撃による騒音や振動の問題は回避され得ず、また大型で複雑な油圧機構が必要となるという新たな問題が発生することから、未だ満足できるものではなかったのである。
【先行技術文献】
【特許文献】
【０００６】
【特許文献１】特公平７−５１７８６号公報
【発明の概要】
【発明が解決しようとする課題】
【０００７】
本発明は、上述の事情を背景に為されたものであって、その解決課題は、近隣への騒音や振動の問題を可及的に回避し得ると共に、大型装置も必要とすることなく狭小な土地においても良好に施工することのできる新規な杭体施工方法を提供することにある。
【０００８】
また、本発明は、かかる杭体の施工方法に用いられるケーシングパイプと、かかる杭体の施工方法によって施工された基礎構造体を提供することも、目的とする。
【課題を解決するための手段】
【０００９】
すなわち、杭体の施工方法に関する本発明の第一の態様は、地盤に対する杭体の施工方法であって、（ｉ）外周面に反力羽根を設けたケーシングパイプを用い、該ケーシングパイプを中心軸回りに正方向回転させて前記地盤に貫入させるケーシングパイプ貫入工程と、（ｉｉ）該ケーシングパイプに差し入れた前記杭体に対して、該ケーシングパイプの外周面に対して該地盤から及ぼされる反力を利用して圧入力を及ぼし、該ケーシングパイプの下端開口部から該杭体を突出させて該地盤に圧入させる杭体圧入工程と、（ｉｉｉ）該地盤に圧入させた該杭体を残して、該ケーシングパイプを逆方向回転させつつ該地盤から抜き取るケーシングパイプ抜去工程とを、有する杭体の施工方法にある。
【００１０】
本発明の第一の態様に係る杭体の施工方法に従えば、ケーシングパイプの外周面に設けた反力羽根の作用により、地盤に貫入させたケーシングパイプには、引抜反力が大きく且つ効果的に作用し得る。それ故、このケーシングパイプの引抜反力を利用して杭体に有効な圧入力を及ぼすことが可能となる。その結果、施工機の自重を杭体の圧入力に利用していた従来技術に比して、施工機を小型化することが出来、狭い敷地でも杭体の施工を容易に行うことが可能となる。
【００１１】
しかも、かかるケーシングパイプは、杭体と略同一中心軸上に貫入施工されることから、ケーシングパイプの貫入のために特別なスペースが必要とされることも殆ど無い。そればかりか、ケーシングパイプの内孔を利用して杭体を圧入施工することが出来ることから、杭体の圧入施工に際しての貫入抵抗の軽減が図られる等の効果が発揮されて、施工が一層容易とされ得る。
【００１２】
杭体の施工方法に関する本発明の第二の態様は、第一の態様に記載された杭体の施工方法であって、前記ケーシングパイプの前記反力羽根が一定のリード角で形成されており、前記ケーシングパイプ貫入工程において、該ケーシングパイプの一回転毎に該反力羽根のリードに相当する深さずつ前記地盤に対して該ケーシングパイプを貫入させるものである。
【００１３】
第二の態様に従えば、ケーシングパイプの貫入時に、反力羽根の外周縁部において地盤が縁切りされたり攪拌されてしまうことを軽減乃至は回避することが出来る。その結果、反力羽根から地盤に及ぼされる周辺摩擦力や、反力羽根の外周から安息角内に存在する土重量が、ケーシングパイプの抜反力として一層効果的に且つ安定して作用せしめられ得る。
【００１４】
なお、本態様において、反力羽根はケーシングパイプの全長に亘って形成されている必要はなく、例えばケーシングパイプの下端から所定長さの領域だけに反力羽根が形成されていても良いし、ケーシングパイプの軸方向で相互に分断されて複数箇所に反力羽根が形成されていても良い。また、反力羽根の大きさ（例えばケーシングパイプの外周面からの突出寸法等）は、部位によって異なっていても良い。
【００１５】
杭体の施工方法に関する本発明の第三の態様は、第一又は第二の態様に記載された杭体の施工方法であって、前記ケーシングパイプ貫入工程において、該ケーシングパイプの下端開口部を閉鎖させて内部への土の侵入を制限させつつ中心軸回りに正方向回転させて、該ケーシングパイプを前記地盤に貫入させるものである。
【００１６】
第三の態様に従えば、地盤に貫入したケーシングパイプの内孔を利用することで、地盤に対して杭体をある程度の深さまで土の抵抗力を受けることなく容易に挿し入れることが可能となる。その結果、杭体の圧入の作業効率の向上が図られる。また、杭体の施工において、削孔貫入時の孔壁崩落がケーシングパイプで防止され得ることから、杭体の貫入抵抗が軽減されて容易に圧入することが可能となる。
【００１７】
杭体の施工方法に関する本発明の第四の態様は、第三の態様に記載された杭体の施工方法であって、前記ケーシングパイプ貫入工程において、該ケーシングパイプにオーガースクリュを内挿位置せしめ、該オーガースクリュと該ケーシングパイプを同一中心軸上で同一方向に正方向回転させることにより、該オーガースクリュの下端部分で該ケーシングパイプの下端開口部を閉鎖させて内部への土の侵入を制限させつつ地盤に貫入させるものである。
【００１８】
第四の態様に従えば、オーガースクリュを利用して、ケーシングパイプの貫入工程におけるケーシングパイプ内への土の侵入を制限することが出来る。また、オーガースクリュとケーシングパイプは、同一中心軸上で正方向回転させれば良いから、共通の回転駆動装置を用いて施工することも可能となり、装置の小型化や構造簡略化も図られ得る。
【００１９】
杭体の施工方法に関する本発明の第五の態様は、第四の態様に記載された杭体の施工方法であって、前記ケーシングパイプ貫入工程によって該ケーシングパイプを前記地盤に対して貫入させた後、該ケーシングパイプを固定すると共に、前記オーガースクリュを正方向回転させることにより、該ケーシングパイプの下端開口部よりも下方まで杭孔を穿孔する穿孔工程を行うものである。
【００２０】
第五の態様に従えば、ケーシングパイプの貫入位置よりも深い位置に支持層があるような場合にも、ケーシングパイプの長さ位置を超えてオーガースクリュだけを先行掘削させることで、当該支持層にまで至る杭体の圧入用の下穴を簡易に穿つことが可能となる。
【００２１】
杭体の施工方法に関する本発明の第六の態様は、第三の態様に記載された杭体の施工方法であって、前記ケーシングパイプの下端開口部に対して開閉可能な蓋部材を装着せしめ、前記ケーシングパイプ貫入工程において、該蓋部材で該ケーシングパイプの下端開口部を閉鎖させた状態で該ケーシングパイプを前記地盤に貫入させる一方、前記杭体圧入工程において、該蓋部材を開放させた該ケーシングパイプの下端開口部から前記杭体を突出させて該地盤に該杭体を圧入させるものである。
【００２２】
第六の態様に従えば、ケーシングパイプの下端開口部を開閉する蓋部材を採用することにより、例えば請求項４に記載のオーガースクリュを内挿しなくても、ケーシングパイプの地盤への貫入と同時に、該ケーシングパイプによって杭の下穴を良好に形成することが可能となる。なお、本態様において、蓋体は、ケーシングパイプの下端開口部を開閉可能とするものであれば良く、例えばケーシングパイプの下端開口部に対して着脱可能な掘削ヘッドを装着することで蓋体とすることも出来る。蓋体としてかかる掘削ヘッドを採用すれば、その閉鎖状態でケーシングパイプを地盤に対して一層容易に削入することが可能となる。
【００２３】
杭体の施工方法に関する本発明の第七の態様は、第一〜六の何れか一の態様に記載された杭体の施工方法であって、前記ケーシングパイプ抜去工程において、前記ケーシングパイプにおける前記反力羽根の回転作用により前記杭体の周囲において土を下方へ押し込んで圧密させるものである。
【００２４】
第七の態様に従えば、ケーシングパイプの抜去と同時に、圧入施工後の杭体の周囲に対して土を圧密状態で埋め戻すことが可能となる。その結果、杭体の周辺摩擦力が大きく確保でき、特別な別途の施工を必要とすることなく、杭体の支持力の向上が図られ得る。
【００２５】
杭体の施工方法に関する本発明の第八の態様は、第七の態様に記載された杭体の施工方法であって、前記ケーシングパイプ抜去工程において、前記ケーシングパイプに対して前記地盤への押込方向の荷重を及ぼしつつ該ケーシングパイプを逆方向回転させることにより前記杭体の周囲において土を圧密させるものである。
【００２６】
第八の態様に従えば、ケーシングパイプに押込方向荷重を積極的に及ぼすことで、ケーシングパイプの逆方向回転による圧密効果の向上が図られ得る。例えば、ケーシングパイプの回転駆動等で周囲の地盤を乱して土の縁切りを行ってから、ケーシングパイプに施工装置の自重をかけて逆方向回転させつつ土を供給することで杭体の周囲に圧密効果を及ぼすことが出来る。より具体的には、ケーシングパイプを逆方向回転させて引き抜いてから、再び正方向回転で周囲の土の縁切りを行いつつケーシングパイプを貫入させ、その後に、例えば、表土に近い位置にケーシングパイプを位置固定した状態で逆方向回転させて掘削表土を下方に押し下げて杭と孔壁（ケーシングパイプを引き上げた後の孔の周壁）の空隙を埋める方法や、オーガースクリュを適当な引き上げ位置に位置固定した状態で逆方向回転させて圧密用土を下方から順次に強制圧密する方法などが採用され、それによって、杭体の周面摩擦の向上が図られ得る。
【００２７】
上述の如き本発明に従う杭体の施工方法において好適に用いられる杭体施工用のケーシングパイプに関する発明の特徴とするところは、中空構造の管体の外周面上に所定のリード角を有する反力羽根が形成されている杭体施工用のケーシングパイプにある。このような本発明に従う構造とされたケーシングパイプを用いることにより、本発明方法が有利に実施可能となる。
【００２８】
また、かかるケーシングパイプにあっては、前記管体に内挿されるオーガースクリュと、該オーガースクリュを該管体と同一中心軸上で一体的に回転させる一体的回転手段とを、備えた構成が、好適に採用され得る。このようなケーシングパイプを用いることにより、杭体の施工方法に関する前記第四又は第五の態様が容易に実施可能とされる。
【００２９】
或いはまた、かかるケーシングパイプにあっては、前記管体の下端開口部を開閉可能とする蓋部材を備えた構成が、好適に採用され得る。このようなケーシングパイプを用いることにより、オーガースクリュを用いなくともケーシングパイプ内への土の先端からの侵入を阻止しつつケーシングパイプを地盤に貫入させると共に、杭体の挿入孔を形成することが可能となる。
【００３０】
さらに、かかるケーシングパイプは、前記管体の下端部分に掘削用爪が設けられていることが望ましい。このようなケーシングパイプを用いることにより、ケーシングパイプ貫入工程におけるケーシングパイプの地盤への貫入を一層効率的に行うことが可能となる。
【００３１】
また、本発明に係るケーシングパイプにあっては、前記管体の上端部分において、施工機に対して係止されて引抜反力を取り出すチャック装置が設けられていることが、好適である。このようなチャック装置を設けることにより、地盤に貫入させたケーシングパイプの上端に対して施工機を連結して、ケーシングパイプによる杭体の圧入反力を効率的に且つ簡単に取り出すことが可能となり、作業の迅速化等も図られ得る。
【００３２】
さらに、本発明は、前述の如き本発明に従う杭体の施工方法により施工された杭体を有する基礎構造体も、特徴とする。なお、かかる杭体は、支持杭や摩擦杭、土留め用親杭などの各種杭体が含まれるものであり、基礎構造体には、建築構造物の他、土留壁等の土木構造物も含まれる。
【発明の効果】
【００３３】
本発明によれば、地盤に貫入させたケーシングパイプの引抜反力を利用して杭体に大きな圧入力を及ぼすことで、施工機を大型化したり杭体をハンマリングしたり等することなく、杭体を地盤に対して圧入施工することが可能となる。それ故、杭体の施工を、騒音や振動の問題を殆ど生ずることなく、小型の施工機を用いて狭い敷地でも効率的に行うことが可能となるのである。
【図面の簡単な説明】
【００３４】
【図１】本発明に従う杭体の施工方法の実施に用いられる施工装置の一具体例を例示的に示す概略説明図。
【図２】図１に示された施工装置に採用されるケーシングパイプの一具体例を示す要部正面図。
【図３】図１に示された施工装置に採用されるオーガースクリュの一具体例を示す要部正面図。
【図４】図２に示されたケーシングパイプを地盤に貫入させた状態下で地盤からの反力を取り出すための一具体的構造を示す要部正面図。
【図５】図１〜４に示された施工装置を用いて本発明方法に従って杭体施工を行う工程説明図。
【図６】図５に続く杭体施工の工程説明図。
【図７】図６に続く杭体施工の工程説明図。
【図８】本発明において採用され得るケーシングパイプの別の具体例を示す要部正面図。
【図９】図８に示されたケーシングパイプを用いて本発明方法に従う杭体施工を行う工程説明図。
【図１０】図９に続く杭体施工の工程説明図。
【図１１】図１０に続く杭体施工の工程説明図。
【図１２】図２に示されたケーシングパイプを分割構造とする場合に採用され得る連結部構造の一具体例を示す説明図。
【発明を実施するための形態】
【００３５】
以下、本発明の実施形態について、図面を参照しつつ説明する。
【００３６】
図１には、本発明方法に実施に用いられる施工装置の一例の概略図が示されている。この施工装置１０は、自走するクローラ式のクレーン型杭打装置であり、クローラ部分１２に対して旋回可能な本体部分１４を備えている。本体部分１４には、リーダー１６が、下部支承部１８とバックステー２０とによって地盤２２に対して鉛直に支持されるようになっている。なお、リーダー１６は、本体部分１４に対して、油圧シリンダ機構等により傾動および倒伏可能とされている。
【００３７】
また、リーダー１６には、長さ方向に延びるガイドレールが設けられており、このガイドレールで案内されて上下移動可能に中貫減速機２４が装着されている。この中貫減速機２４は、オーガー駆動装置と杭圧入装置とを兼ねている。具体的には、オーガーや杭の上端を保持するチャッキング装置を備えていると共に、図示しない油圧シリンダ機構や油圧モータ等の駆動手段を備えている。そして、オーガーや杭の上端を保持せしめつつ、オーガーに対して正方向及び逆方向の回転駆動力を及ぼし得ると共に、オーガーや杭に対して圧入方向及び引抜方向の軸方向駆動力を及ぼし得るようになっている。
【００３８】
なお、このような施工装置が備える基本構造は、従来の杭体の施工装置においても公知であるから、詳細な説明を省略する。換言すれば、従来の各種公知の杭体施工装置が、本発明方法の実施に際して採用可能であり、例えばクローラに代えて車輪を備えた自走構造を備えたものや、リーダー１６として一軸リーダー又は二本構式リーダーを備えたもの、杭打専用機の他にクレーンやショベルカー等を用いた杭施工機等が何れも採用可能である。
【００３９】
さらに、本発明方法の実施に際して施工装置と共にそれぞれ用いられるケーシングパイプ２６とオーガー２８の各一例が図２及び図３に示されている。
【００４０】
ケーシングパイプ２６は、ストレートな管体である円筒部３０の外周面に対して螺旋状の反力羽根３２が設けられている。かかる反力羽根３２は、ケーシングパイプ２６の軸方向の全長に亘って連続して、一定の形状及びリード角で形成されている。尤も、要求される杭体の圧入反力や地盤性状等を考慮して、反力羽根３２の大きさやリード角等を適宜に設定することが出来るだけでなく、反力羽根３２をケーシングパイプ２６の軸方向において部分的に形成することも可能である。具体的には、例えばケーシングパイプ２６の中間位置よりも先端側だけに反力羽根３２を形成したり、リボンスクリューやスリットスクリュー等を反力羽根３２として採用することも可能である。
【００４１】
また、ケーシングパイプ２６の下端部分には、下方に突出する複数のビット（掘削用爪）３４が突設されている。なお、ケーシングパイプ２６は、反力羽根３２やビット３４を含めて剛性の大きい金属材で形成されるが、その軸方向の長さ寸法は、施工条件等に応じて適宜に選択可能とされるのが望ましい。かかる軸方向長さの選択方法としては、複数種類のケーシングパイプ２６を予め準備して、それらの中から選択することも可能であるが、軸方向で相互に連結することで長さを調節可能としたケーシングパイプ２６が一層好適に用いられる。そこにおいて、解除可能な軸方向での連結構造は、ピンやボルト等による連結の他、各種の係止構造が何れも採用可能である。
【００４２】
一方、オーガー２８は、図３に示されているように、オーガースクリュであって、軸管３６の外周面を螺旋状に一定のリード角で延びるスクリュ羽根３８が設けられていると共に、軸管３６及びスクリュ羽根３８の各先端部分には複数のビット（掘進用爪）４０が突設されている。なお、オーガー２８としては、従来から公知の各種構造のオーガースクリュを採用可能であり、例えば、本実施形態では軸管３６の周囲に二重螺旋状（二条螺旋状）に延びる一対のスクリュ羽根３８，３８が形成されているが、単一（一条）のスクリュ羽根３８でも良い。また、オーガー２８は、ビット４０が形成された先端部分と中間部分とが着脱可能な別体構造とされていても良いし、軸方向で相互に着脱可能に連結されることによりオーガー２８の長さ寸法を適宜に変更可能とすることも可能である。更にまた、オーガー２８のスクリュ羽根３８も、軸管３６の全長に亘って形成する他、例えば軸管３６の下端から所定長さに亘る下側部分だけにスクリュ羽根３８を形成する等しても良い。
【００４３】
また、かかるオーガー２８は、そのスクリュ羽根３８の外径寸法がケーシングパイプ２６の内径寸法よりも小さくされており、且つオーガー２８の軸方向長さがケーシングパイプ２６よりも大きくされている。そして、図１に示されているように、ケーシングパイプ２６に対してオーガー２８が挿し入れられるようになっている。
【００４４】
更にまた、ケーシングパイプ２６には、そこに挿通されたオーガー２８を連結する連結手段４２が設けられている。かかる連結手段４２は、オーガー２８とケーシングパイプ２６を軸方向および周方向で相対変位不能に連結させて一体的回転手段を構成するものであって、且つ必要に応じて連結状態を解除可能なものであれば良い。具体的には、例えば、ケーシングパイプ２６の上端の周壁部分に対して径方向対向位置に貫通孔を形成すると共に、オーガー２８の軸管３６にも径方向貫通孔を形成し、互いに位置合わせした両者の貫通孔に跨がって、連結ロッドを挿通せしめた構造等によって、連結手段４２が構成され得る。
【００４５】
また一方、オーガー２８は、その上端部が中貫減速機２４に対して貫通された状態で把持固定されることで、施工装置によって鉛直状態で吊り下げ支持されるようになっている。また、このオーガー２８に外挿されたケーシングパイプ２６は、その上端部において連結手段４２でオーガー２８に連結されることにより、図１に示されているように、オーガー２８と共に、施工装置によって鉛直状態で吊り下げ支持され得るようになっている。
【００４６】
そして、このように相互に連結されて吊り下げ支持されたオーガー２８とケーシングパイプ２６は、中貫減速機２４によってオーガー２８に回転駆動力が及ぼされることにより、一体的に中心軸回りで回転駆動されるようになっている。また、中貫減速機２４がリーダー１６に沿って駆動変位されることにより、オーガー２８およびケーシングパイプ２６に軸方向駆動力が及ぼされて一体的に中心軸方向で変位駆動され得るようになっている。
【００４７】
なお、オーガー２８は、ケーシングパイプ２６に挿通されて連結手段４２で連結された、図１に示す状態において、その上端部がケーシングパイプ２６から上方に突出して中貫減速機２４で把持されるようになっている一方、その下端部がケーシングパイプ２６の下端開口部付近に位置せしめられている。これにより、ケーシングパイプ２６の下端開口部がオーガー２８の先端部分で開口面積を制限されて略塞がれた状態とされている。なお、本実施形態では、連結手段４２で連結された状態下、ケーシングパイプ２６の下端開口部から、オーガー２８の下端部が僅かに突出せしめられている。
【００４８】
さらに、施工装置には、リーダー１６の下端部分に位置してチャック装置４４が設けられている。このチャック装置４４は、ケーシングパイプ２６に係止されることによりリーダー１６をケーシングパイプ２６に対して軸方向で相対変位不能に連結させるものである。具体的には、図４に示されているように、リーダー１６の下端から前方に向かって突出する係止爪４６が設けられている一方、ケーシングパイプ２６には、その上端部分の外周面において、周方向に延びる係止溝４８が形成されている。
【００４９】
なお、かかる係止爪４６は、平面視においてＵ字又は半円或いはコ字状とされており、ケーシングパイプ２６の係止溝４８に対して側方から嵌め入れられることにより、係止溝４８に対して周方向で所定長さに亘って或いは周方向で複数箇所において嵌合係止されるようになっていることが望ましい。また、係止爪４６は、リーダー１６に対して水平方向に変位可能とされることで、施工装置を位置決めしたままで係止爪４６の係止溝４８への係合と離脱を行うことが出来るようになっていることが好適である。
【００５０】
次に、上述の如き施工装置を用いての本発明に従う杭体の施工方法の一実施形態が、図５〜７において順次の工程として示されている。なお、これらの工程図では、施工装置の図示を省略する。
【００５１】
すなわち、杭体施工に際しては、先ず、図１に示されていたように、ケーシングパイプ２６に挿通して一体的に連結せしめたオーガー２８の上端部分を施工装置のリーダー１６に装着した中貫減速機２４で支持せしめて、図５（Ａ）に示されているように、それらオーガー２８とケーシングパイプ２６を鉛直となる状態で地盤２２上で吊り下げ、地盤２２における杭施工位置に位置決めする。
【００５２】
位置決め後、中貫減速機２４を作動させて回転駆動力をオーガー２８に及ぼすことにより、連結手段４２で一体化されたオーガー２８とケーシングパイプ２６を同一中心軸上で同一方向に一体回転させる。その際、リーダー１６で上下方向に案内される中貫減速機２４に対して、貫入方向（鉛直下方向）への荷重（圧入力）を及ぼすことも可能であるが、好適には、中貫減速機２４の上下方向への移動を略フリーとする等して、ケーシングパイプ２６の一回転で反力羽根３２のリード又はピッチに相当する距離だけ貫入するようにされる。
【００５３】
これにより、図５（Ｂ）に示されているように、オーガー２８のビット４０やケーシングパイプ２６のビット３４と反力羽根３２による掘進作用に基づいて、オーガー２８とケーシングパイプ２６が中心軸回りに一体的に地盤２２の中へ正方向に回転貫入されるケーシングパイプ貫入工程が行われる。その際、オーガー２８及びケーシングパイプ２６に圧入力を及ぼさないことで、ケーシングパイプ２６の反力羽根３２の外周縁部による地盤２２の縁切りが軽減乃至は回避されて、地盤２２の乱れが防止される。また、オーガー２８とケーシングパイプ２６を中心軸回りに正方向に一体回転させることにより、ケーシングパイプ２６の下端開口部に対するオーガー２８の先端部分による覆蓋作用が効果的に発揮され、掘削土のケーシングパイプ２６内への侵入が防止され得る。
【００５４】
そして、図５（Ｃ）に示されているように、オーガー２８とケーシングパイプ２６を目的とする深さまで地盤２２に貫入させて、ケーシングパイプ貫入工程が完了したら、連結手段４２を解除して、ケーシングパイプ２６に対するオーガー２８の相対的な回転及び軸方向の移動を許容する。その後、オーガー２８に対して、中貫減速機２４による回転駆動力と必要に応じて圧入力とを及ぼすことにより、図５（Ｄ）に示されているように、ケーシングパイプ２６を残置したまま、オーガー２８だけを更に地盤２２に対して、オーガー２８の中心軸回りに正方向回転させて、掘進させることで、ケーシングパイプ２６の下端開口部よりも下方まで杭孔を穿孔する穿孔工程を行う。そして、予め実施した地盤調査の結果から求められた杭体の先端支持層の深さを考慮して、目的とする先行掘削深に達するまで、オーガー２８による掘削を行う。
【００５５】
目的とする深さまで先行掘削を行い穿孔工程が完了したら、図５（Ｅ）に示されているように、連結手段４２を解除したままで、中貫減速機２４によりオーガー２８を引き上げる。なお、このオーガー２８の引き上げは、オーガー２８を無回転で、或いは正回転させたままで行うことが望ましく、それによって、オーガー２８による掘削土をオーガー２８のスクリュ羽根３８上に載せたままで、オーガー２８と同時に掘削土も地上に回収するのが良い。
【００５６】
このようにオーガー２８を回収することにより、地盤２２には、ケーシングパイプ２６だけが所定深さの貫入状態で残置されることとなる。そして、図６（Ａ）に示されているように、施工装置を用いて或いは別のクレーン装置等を用いて、施工する杭体５０を吊り込んで、かかる杭体５０をケーシングパイプ２６内に挿し入れる。なお、杭体５０は、要求される性能等に応じてコンクリート杭や鋼管杭などの各種が採用可能である。
【００５７】
その際、ケーシングパイプ２６内は、オーガー２８が掘削土と共に引き抜かれたことで実質的に中空状態とされており、この中空のパイプ内をオーガー２８の先堀孔として杭体５０を地盤２２に挿し入れる。その後、図６（Ｂ）に示すように、施工装置の自重を利用して、圧入シャフト兼用のオーガー２８により杭体５０に圧入力を及ぼすことで、杭体５０を、ある程度の深さまで地盤２２に対して圧入する。なお、杭体５０への圧入力の作用に際しては、オーガー２８とは別体の圧入シャフトを用いても良い。
【００５８】
さらに、施工装置１０において、リーダー１６の下端に設けられたチャック装置４４の係止爪４６を、地盤に貫入されたケーシングパイプ２６の上端部の係止溝４８に差し入れて係止させることにより、ケーシングパイプ２６をリーダー１６に対して鉛直方向に連結固定する。かかる状態下で、リーダー１６で支持せしめた中貫減速機２４による圧入力を、オーガー２８を介して、杭体５０に及ぼす。
【００５９】
これにより、図６（Ｃ）に示されているように、ケーシングパイプ２６の外周面に対して及ぼされる地盤２２の引抜反力（引抜抵抗力）となる主動的な土圧を、杭体５０の地盤２２中への圧入の反力として活用して、ケーシングパイプ２６の下端開口部から杭体５０を突出させて地盤に圧入する杭体圧入工程を行う。この時、ケーシングパイプ２６の上端部分において、施工装置に係止されたチャック装置４４によって、引抜反力が取り出される。なお、中貫減速機２４は、リーダー１６に対して圧入方向に駆動されて、オーガー２８から杭体５０に圧入力を及ぼすことから、中貫減速機２４からリーダー１６に及ぼされる圧入反力が、ケーシングパイプ２６を通じて地盤２２に伝達されて、地盤２２で負担され得るのである。
【００６０】
特に、ケーシングパイプ２６は、その外周面に反力羽根３２を備えており、且つ圧入力を実質的に及ぼされない状態で地盤２２に回転貫入されていることにより、地盤２２の土圧が引抜抵抗力として一層効果的に及ぼされ得るのである。具体的には、例えば図６（Ｃ）に記載の土圧作用領域５２の総土重量やその周辺摩擦力を考慮して、地盤２２の安息角や比重等に応じて引抜抵抗力の有効値が求められることとなる。
【００６１】
それ故、施工装置の自重を遥かに超えた大きな圧入力を、杭体５０に及ぼすことが可能となるのであり、その結果、施工装置の小型化や油圧シリンダ機構等の駆動装置の小型化が達成されると共に、大きな振動や騒音を伴うことなく、杭体５０を大きな圧入力で貫入施工することが可能となり、施工に伴う周辺環境への悪影響が飛躍的に改善され得る。
【００６２】
また、かかる杭体５０の圧入に際しては、ケーシングパイプ２６の内孔だけでなく、予め更に掘削されたオーガー２８による先行掘削孔の存在により、一層優れた施工作業性が実現され得るのである。
【００６３】
なお、杭体の頭部（上端部）を地盤２２の表面から所定深さ以上にまで埋入する場合には、図６（Ｄ）に示されているように、従来公知のヤットコ５４等を適宜に使用して施工することも可能である。
【００６４】
そして、杭体５０を目的とする支持層まで圧入施工した後、かかる杭体５０を残して、ケーシングパイプ２６を地盤２２から引き上げて取り除く。その際、チャック装置４４を解除し、ケーシングパイプ２６をリーダー１６に対して軸方向に相対変位可能で且つ軸回りに回転可能とすると共に、連結手段４２により、ケーシングパイプ２６を、再び、オーガー２８に連結せしめて、ケーシングパイプ２６をオーガー２８に対して軸方向および周方向で一体化する。なお、かかる連結手段４２は、ケーシングパイプ２６の上端部分を、オーガー２８の下側部分に対して連結するようにされる。
【００６５】
かかる状態下、中貫減速機２４によりオーガー２８を逆回転させつつ鉛直上方（引抜方向）に変位させることにより、ケーシングパイプ２６を逆回転させつつ地盤２２から引き上げて抜き取る、ケーシングパイプ抜去工程を行う。その際、圧入施工した杭体５０の上端部がケーシングパイプ２６の上端開口部から突出している等の理由で、ケーシングパイプ２６の上端部へのオーガー２８の下側部分の連結固定が困難な場合には、図７（Ａ）に示されているように、例えば下端がケーシングパイプ２６に固定されると共に上端がオーガー２８に固定される中空筒体構造のパイプキャップ（ケーシングガイド）５６等を用いて、ケーシングパイプ２６にオーガー２８を連結することが有効である。
【００６６】
また、ケーシングパイプ２６の引き上げに際しては、ケーシングパイプ２６の一回転で反力羽根３２のリード（ピッチ）に相当する距離だけ軸方向に引き上げられるように、引き上げ力を調節したりフリーにすることも出来る。しかし、反対に、ケーシングパイプ２６の反力羽根３２による土の送り作用を利用して、杭体５０の周囲の土に対して圧密作用を施すことも可能である。
【００６７】
具体的には、例えば、図７（Ｂ）に示されているように、ケーシングパイプ２６の引き上げに際して、中貫減速機２４による逆回転駆動力を、オーガー２８を介して、ケーシングパイプ２６に及ぼすことにより、ケーシングパイプ２６の反力羽根３２による土の送り作用に基づいて、ケーシングパイプ２６が引き抜かれた後の杭体５０の周囲領域に対して、土を下方に強制的に送り込んで圧密状態とする逆転圧密工程を行うことが可能となる。
【００６８】
かかる作業は、具体的には、例えばケーシングパイプ２６の引き上げに際して、ケーシングパイプ２６を逆方向に回転駆動させつつ、その一回転毎の引き上げ量が一回転での反力羽根３２のリード（ピッチ）に満たない引き上げ量となるように下方への圧入方向力（地盤への押込方向の荷重）乃至は引抜制限力を及ぼすことも可能である。しかし、より好適には、ケーシングパイプ２６を所定長さだけ引き上げる毎に、ケーシングパイプ２６の軸方向位置を固定せしめつつ（要するに、引上方向へのケーシングパイプ２６の変位を阻止乃至は制限しつつ）、ケーシングパイプ２６を逆方向に回転駆動させることによって実現され得る。
【００６９】
また、ケーシングパイプ２６の逆転作動による土の圧密施工に際しては、地盤２２上で、ケーシングパイプ２６の周囲に対して、掘削土５８を埋め戻して空隙を積極的に埋める作業を行うことが望ましい。このようにして、杭体５０の周囲に土を圧密することにより、杭体５０に対する地盤２２の周辺摩擦力の向上が図られて、杭体５０の支持力の更なる向上が達成され得る。
【００７０】
このようにして、ケーシングパイプ２６の引抜きと、ケーシングパイプ２６の引抜後の掘削孔への土の埋め戻しおよび圧密の施工を行うことにより、図７（Ｃ）に示されているように、杭体５０の打設施工を完了することが出来るのである。そして、かかる杭体５０の打設を必要数だけ繰り返すことにより、適当数の杭体５０によって支持力を得る基礎構造体が構成される。
【００７１】
ところで、上述の実施形態は本発明の一例であって、本発明はかかる実施形態の記載によって限定されるものでない。
【００７２】
具体的には、例えば図８に示されているように、ケーシングパイプ６０において円筒部３０の下端開口部を開閉可能とする蓋部材として、先細形状の杭先端部を形成するキャップ部６２を採用することも可能である。このキャップ部６２は、円筒部３０の下端開口部に対して着脱可能とされていても良いが、図８に示されているものは、逆円錐形状乃至は漏斗形状とされており、母線方向に延びる分割線６４によって周上で複数（例えば２つ、或いは３つ以上）に分割構造とされている。そして、キャップ部６２の上端大径側の外周縁部に対して、各分割片６６の上端がヒンジ連結されており、それによってキャップ部６２が開閉可能とされている。
【００７３】
このようなキャップ部６２を備えたケーシングパイプ６０を用いることにより、前記実施形態に比して、例えばオーガー２８を用いることなく杭体施工を行うことも可能となる。また、併せて、図８に示されている如き駆動用の延長ロッド６８を用いることにより、ケーシングパイプ６０の軸方向長を超えて、先行掘削孔を穿つことも可能となる。この延長ロッド６８は、ケーシングパイプ６０に内挿可能な長手ロッド形状を有しており、外周面には適当な軸方向間隔で連結用孔７０が設けられている。一方、ケーシングパイプ６０の円筒部３０にも、連結用孔７２が形成されており、ケーシングパイプ６０の連結用孔７２から延長スリーブ６８の連結用孔７０に対して連結ピンが差し入れられることにより、ケーシングパイプ６０に対して延長スリーブ６８を所定長さだけ挿し入れた位置で両者が相互に一体的に連結固定されるようになっている。
【００７４】
かくの如きケーシングパイプ６０と延長スリーブ６８を用いた杭体施工の一具体例が、図９〜１１に示されている。先ず、図９（Ａ）〜（Ｃ）に示されているように、ケーシングパイプ６０の上端開口部から延長スリーブ６８を挿し入れ、両者の連結用孔７０，７２を連結ピン７４で連結せしめた状態で、延長スリーブ６８の上端を、チャック部材７６を介して、施工装置の中貫減速機（図示省略）で把持せしめて地盤２２上に吊り下げ支持し、前記実施形態と同様に正方向に回転駆動させつつ地盤２２に貫入させるケーシングパイプ貫入工程を行う。また、貫入の進行に伴って、必要になった都度、連結ピン７４による連結位置を変更することで、ケーシングパイプ６０と延長スリーブ６８からなるケーシングパイプ６０の実質的な掘削可能長を次第に増大させる。
【００７５】
なお、かかる掘削進行に際しては、ケーシングパイプ６０のキャップ部６２に対して、閉じる方向に先端土圧が作用することから、複数の分割片６６は閉じた状態に保持され得る。尤も、これら複数の分割片６６を閉じた状態に保持する解除可能な係止部材等の保持手段を設けても良い。
【００７６】
そして、目的とする貫入深さまで達したら、図９（Ｄ）の如く、ケーシングパイプ６０と延長スリーブ６８を逆方向に回転させつつ所定距離だけ引き抜いて、ケーシングパイプ６０のキャップ部６２の先端に作用している土圧を解除させ、キャップ部６２を開放可能にする。なお、かかる引抜作動に際しては、ケーシングパイプ６０の周囲の地盤を乱して縁切りしないように、ケーシングパイプ６０に無理な引抜力を作用させることなく、ケーシングパイプ６０の反力羽根３２の逆回転に対応した距離だけケーシングパイプ６０が引抜方向に移動するようなフリー状態で行うことが有効である。
【００７７】
併せて、図１０（Ａ）の如く、延長スリーブ６８の上端からチャック部材７６を外して、開放された上端開口部から杭体５０を吊り込み、延長スリーブ６８およびケーシングパイプ６０に挿し入れる。挿し入れた杭体５０は、その自重により、ケーシングパイプ６０の先端まで達し、ケーシングパイプ６０のキャップ部６２を押し開いてケーシングパイプ６０の先端開口部から更に下方に突出せしめられる。
【００７８】
その後、杭体５０に対して、地盤２２への圧入力を及ぼすことで、杭体５０を更に地盤に圧入する杭体圧入工程において、その先端部を地盤２２の支持層７８に達するまで圧入させる。その際、杭体５０の圧入力として施工装置の自重を利用するだけでなく、図１０（Ｂ）に示されているように、延長スリーブ６８の上端に係止リング８０を取り付けて、この係止リング８０に係止させた引張ワイヤ８２を施工装置のリーダー等に連結することにより、かかる引張ワイヤ８２を介して作用するケーシングパイプ６０の地盤２２への固定力を反力として利用して、中貫減速機２４による杭体５０の圧入力を得ることが可能である。
【００７９】
さらに、図１０（Ｃ）および図１１（Ａ）〜（Ｃ）に示されているとおり、前述の実施形態と同様に、ケーシングパイプ６０を逆回転させつつ地盤２２から引き抜くことにより、杭体５０を残置して施工を完了することが出来る。また、ケーシングパイプ６０の引抜工程では、ケーシングパイプ６０の逆転作動による土の圧密作用を利用して、杭体５０の周囲の地盤を圧密させて摩擦支持力の向上を図ることも可能である。
【００８０】
また、前記実施形態や図９〜１１の形態において用いられているケーシングパイプ２６，６０として、それが軸方向で相互に着脱可能な複数本の分割構造とされていても良いことは前述のとおりであり、かかる連結構造としては何等限定されることなく各種構造が採用可能であることも、前述のとおりであるが、図１２に、その一具体例を示す。
【００８１】
図１２は、ケーシングパイプを協働して構成する上側ケーシング８４と下側ケーシング８６が、連結ケーシング８８によって、離脱可能に連結され得る構造とされている。連結ケーシング８８は、上下のケーシング８４，８６の各円筒部３０，３０よりも一回り大径とされており、連結ケーシング８８に対して、上側ケーシング８４と下側ケーシング８６の各円筒部３０，３０が、上下から嵌め入れられるようになっている。特に、本実施形態では、かかる連結ケーシング８８が、上側ケーシング８４への外嵌状態で、上側ケーシング８４に対して固着されて一体化されている。
【００８２】
連結ケーシング８８に嵌め入れられる上側ケーシング８４の下端縁部には、下方に向かって突出する鉤型の係止片９０が形成されている。一方、連結ケーシング８８に嵌め入れられる下側ケーシング８６の上端縁部には、上方に向かって開口する鉤型の係止溝９２が形成されている。そして、連結ケーシング８８の内部において、上側ケーシング８４の係止片９０が下側ケーシング８６の係止溝９２に対して軸方向（上下方向）に差し入れられ、更に周方向で上下ケーシング８４，８６が相対回転されることで係止片９０が係止溝９２に対して各鉤部が相互に嵌まり合って軸方向での相対的な引抜変位を阻止し得るようになっている。
【００８３】
また、連結ケーシング８８には、内周面に沿って滑動可能なロック片９４が設けられており、このロック片９４が、連結ケーシング８８に形成されたガイド孔９６に係合した係合突部９８で案内されて位置決めされるようになっている。そして、ロック片９４が上端の控え位置に配された状態下では、上下ケーシング８４，８６の相対回転による係止片９０と係止溝９２との係止及び解除の操作が許容されるようになっている。一方、係止片９０を係止溝９２に係止させた状態下で、ロック片９４を下方に変位させて係止溝９２に入り込ませて位置させることにより、上下ケーシング８４，８６の相対回転が阻止されて、上下ケーシング８４，８６が、係止片９０と係止溝９２との係止作用による連結状態に保持され得るようになっている。
【００８４】
その他、一々列挙はしないが、本発明は当業者の知識に基づいて種々なる変更、修正、改良を加えた態様で実施可能であり、且つ、それら実施態様が本発明を趣旨を逸脱しない限り、何れも、本発明の範囲内に含まれるものであることは言うまでもない。
【符号の説明】
【００８５】
２２：地盤、２６，６０：ケーシングパイプ、２８：オーガー、３２：反力羽根、４４：チャック装置、５０：杭体、８４：上側ケーシング
【図１】
2012140787.tif 000003
【図２】
2012140787.tif 000004
【図３】
2012140787.tif 000005
【図４】
2012140787.tif 000006
【図５】
2012140787.tif 000007
【図６】
2012140787.tif 000008
【図７】
2012140787.tif 000009
【図８】
2012140787.tif 000010
【図９】
2012140787.tif 000011
【図１０】
2012140787.tif 000012
【図１１】
2012140787.tif 000013
【図１２】
2012140787.tif 000014